(57)【要約】垂直な回転軸を有するタービンについて、特に、風を動力源とした実施形態を参照して記載される。タービンが駆動力の変動にも関わらず、タービンが実質的に一定速度で回転することを保証し、その駆動力が過度であるときもタービンが損傷されないことを保証することは、有益である。したがって、記載されるタービンは、中心軸の回りにアレンジさた複数のタービンブレード（６）であって、各タービンブレード（６）は、該中心軸に実質的に平行な軸の回りの該タービンブレードの外周に向かって旋回するように装着される、複数のタービンブレード（６）と、該タービンブレード（６）の内周を該中心軸に向かってバイアスするバイアス手段（９、１０）とを備える。該タービンの回転速度が増加するにつれて、該ブレード（６）は、風を外側に振り、該ブレード（６）の重心を該中心軸から離れて移動させ、該回転速度を減少させる傾向がある。
2008520896.tif 000002
【特許請求の範囲】
【請求項１】
実質的に垂直な中心軸の回りにアレンジされた複数のタービンブレード（６）であって、該複数のタービンブレード（６）は、該中心軸と一緒にその回りを回転し得、各タービンブレード（６）は、外側エッジおよび内側エッジを有し、該中心軸に実質的に平行な軸の回りの該外側エッジ近くに旋回するように装着される、複数のタービンブレード（６）と、
各タービンブレード（６）の該内側エッジを該中心軸に向かってバイアスするバイアス手段（９、１０）と
を備える、タービンであって、
該タービンブレード（６）は、該タービンブレード（６）が該中心軸と一緒にその回りを回転する流体流れの中に置かれるときに、該タービンブレード（６）の回転速度が増加するにつれて、該タービンブレード（６）は、該バイアス手段の該バイアスに対し、該タービンブレード（６）のマウンティング（１２）の回りを、該中心軸の回りのより円周向きに向けて旋回し、
該バイアス手段（９、１０）は、該中心軸上に実質的に位置し、該中心軸に対して軸方向に可動であり、各タービンブレード（６）とその内側エッジ近くで接続された質量（９）をさらに備え、
該タービンの該回転速度が増加し、該タービンブレード（６）がそのマウンティング（１２）の回りを旋回するにつれて、該質量（９）は、該中心軸に沿って持ち上げられる、タービン。
【請求項２】
前記タービンブレード（６）がそのマウンティング（１２）の回りを旋回するにつれて、該タービンブレード（６）の重心が前記回転軸から遠ざかる結果として、前記回転速度が減少する、請求項１に記載のタービン。
【請求項３】
前記タービンブレード（６）がそのマウンティング（１２）の回りを旋回するにつれて、該タービンブレード（６）が前記流体流れの外へと移動する結果として、前記回転速度が減少する、請求項１または請求項２に記載のタービン。
【請求項４】
前記中心軸に沿って置かれたシャフト（８）をさらに備える、請求項１〜３のいずれか１項に記載のタービン。
【請求項５】
前記質量（９）は、前記メインシャフト（８）の回りに置かれたカラーの形である、請求項４に記載のタービン。
【請求項６】
前記タービンブレード（６）が装着され、前記中心軸からスパンするブレードフレーム（１１Ａ、１１Ｂ）をさらに備える、請求項１〜５のいずれか１項に記載のタービン。
【請求項７】
各タービンブレード（６）は、湾曲した外形を有する実質的に長方形のシートを備える、請求項１〜６のいずれか１項に記載のタービン。
【請求項８】
各タービンブレード（６）は、粗面化された凹型面または粗い材料でコーティングされた凹型面を有する、請求項１〜７のいずれか１項に記載のタービン。
【請求項９】
各タービンブレード（６）は、その内側エッジに向かって配置された追加質量（５）を有する、請求項１〜８のいずれか１項に記載のタービン。
【請求項１０】
前記流体流れは、風である、請求項１〜９のいずれか１項に記載のタービン。
【請求項１１】
前記タービンブレードによって駆動されるとき、発電する発電機をさらに備える、請求項１〜９のいずれか１項に記載のタービン。
【請求項１２】
請求項１〜９のいずれか１項に記載のタービンを備える、風力発電機。
【発明の詳細な説明】
【技術分野】
【０００１】
本発明は、垂直な回転軸を有するタービンに関し、特に、組み込み速度調整器を有する風力タービンに関する。
【背景技術】
【０００２】
従来、風力タービンは、シャフト回りに半径方向に置かれた複数のセール（ｓａｉｌ）またはブレード（ｂｌａｄｅ）を備える。セールまたはブレードは、動作時にタービンにインパクトを与える気流によって生成される力がシャフトを回転させるように、適切な形状にされ、気流に対して位置される。歴史的に、この回転運動は、粉を挽くために、あるいは水を汲み上げるために使用されてきたが、今日では、発電のために一般的に使用されている。
【０００３】
垂直軸を有する風力タービンは、水平な回転軸を有する風力タービンに勝る幾つかの利点を提供する。例えば、ブレードは、水平に伸びるので、ロータが地面の上の高い塔に置かれる必要性を少なくすること、シャフトおよびブレードの重量が、シャフトを支えるベアリングに均等に付与されるので、水平ベアリングの底が過度に摩耗するのを防ぎ得ること、および一部の実施形態において、動作が風向きと無関係であり得ることである。
【発明の開示】
【発明が解決しようとする課題】
【０００４】
しかしながら、全ての風力タービンと同様に、強風時には、タービンブレードは損傷し得る危険性をはらむ。さらに、風力タービンのシャフトにとって、風力に関わらず、できる限り実質的に同じ速度で回転させることは有利である。したがって、本発明の目的は、風力タービンのブレードが強風から保護されることと、さらに、風力に関わらず、実質的に一定速度でのタービンシャフトの回転の維持を支援することである。
【課題を解決するための手段】
【０００５】
したがって、本発明は、タービンを提供する。該タービンは、実質的に垂直な中心軸回りにアレンジされた複数のタービンブレードであって、該複数のタービンブレードは該中心軸と一緒にその回りを回転し得、各タービンブレードは外側エッジおよび内側エッジを有し、該中心軸に実質的に平行な軸の回りの該外側エッジ近くに旋回するように装着される、複数のタービンブレードと；各タービンブレードの該内側エッジを該中心軸に向かってバイアスするバイアス手段とを備え；該タービンブレードは、該タービンブレードが該中心軸と一緒にその回りを回転する流体流れの中に置かれるとき、該タービンブレードの回転速度が増加するにつれて、該タービンブレードは、該バイアス手段の該バイアスに対し、該タービンブレードのマウンティング（ｍｏｕｎｔｉｎｇ）の回りを、該中心軸の回りのより円周向きに向けて旋回し；該バイアス手段は、該中心軸上に実質的に位置し、該中心軸に対して軸方向に可動であり、各タービンブレードとその内側エッジ近くで接続された質量をさらに備え；該タービンの該回転速度が増加し、該タービンブレードがそのマウンティングの回りを旋回するにつれて、該質量は、該中心軸に沿って持ち上げられる。
【０００６】
好ましくは、上記タービンブレードがそのマウンティングの回りを旋回するにつれて、該タービンブレードの重心が上記回転軸から遠ざかる結果として、上記回転速度が減少する。好ましくは、該タービンブレードがそのマウンティングの回りを旋回するにつれて、該タービンブレードが上記流体流れの外へと移動する結果として、該回転速度が減少する。
【０００７】
好ましくは、上記タービンは、上記中心軸に沿って置かれたシャフトをさらに備える。好ましくは、上記タービンは、上記質量は、該メインシャフト回りに置かれたカラー（ｃｏｌｌａｒ）の形である。
【０００８】
好ましくは、上記タービンブレードが装着され、上記中心軸からスパンするブレードフレームをさらに備える。好ましくは、各タービンブレードは、湾曲した外形を有する実質的に長方形のシートを備える。好ましくは、各タービンブレードは、粗面化された凹型面または粗い材料でコーティングされた凹型面を有する。好ましくは、各タービンブレードは、その内側エッジに向かって配置された追加質量を有する。
【０００９】
好ましくは、上記タービンは、風を動力源とする。好ましくは、該タービンは、発電するために使用される。
【００１０】
ここで、本発明の特定の実施形態が、添付図面を参照することによって、例によって説明される。
【発明を実施するための最良の形態】
【００１１】
図に示されるように、タービンの実施形態は、垂直メインシャフト８を含み、このシャフト８は、メインベアリング２を介してフレーム１によって支えられる。シャフト８は、その軸回りに回転可能である。下部ブレードサポート１１Ａは、金属リングを備え、一対のラジアルアームによってメインシャフト８に取り付けられ、同様の上部ブレードサポート１１Ｂは、上の高いところでメインシャフト８に取り付けられている。複数のタービンブレード６が、下部ブレード１１Ａと上部ブレードサポート１１Ｂとの間に配置される。図示される実施形態は、６つのタービンブレード６を有するが、任意の数のブレード６が、設計の選択にしたがって使用され得る。各ブレードは、湾曲した外形を有する実質的に長方形の金属プレートを備える。各ブレードは、中心からその外周に向かってベアリング１２の中に装着され、このベアリング１２は、下部ブレードサポート１１Ａの外周に向けて置かれる。また、各ブレードは、上部ブレードサポート１１Ｂの中の対応するベアリング１２によって、実質的に垂直な位置で支えられる。各ブレード６は、それゆえ、ヒンジ付きであり、メインシャフト８上に中心を有する円の実質的に周方向の向きと、メインシャフト８に実質的に半径方向の向きとの間を自身のマウンティングの回りに旋回し得る。各タービンブレード６は、自身の内側エッジに沿って置かれた垂直支柱（ｖｅｒｔｉｃａｌ  ｓｔｒｕｔ）７の形の強化材を有する。垂直支柱７の質量は、タービンの中心に向かって各タービンブレード６の重心を位置づける役割を果たす。
【００１２】
タービンブレード６は、垂直シャフト８回りのカラーの形で、質量９によって、実質的に半径方向の向きに向かってバイアスされる。質量９は、垂直シャフト８の軸に沿って自由に移動する。各タービンブレード６は、タービンブレード６の内周に向かって取り付けられたリンク１０によって、質量９に結合される。結合は、各リンク１０の各端に提供され、垂直シャフト８の軸に沿った質量９の移動と、実質的に円周方向の向きから垂直シャフト８の回りの実質的に半径方向の向きまでのブレードのリンクした移動とができるように、２つの自由度を提供する。リンク１０は、固定長であり得、使用前にリンク１０の長さを適切に調整するための調整手段を含み得る。代替として、リンク１０は、強いバネの形であり得る。
【００１３】
タービンは、発電のために、発電機／交流機３に歯車アレンジメント４を介して接続される。
【００１４】
当業者は、本発明の範囲に収まる多数の代替のアレンジメントを即座に着想する。メインシャフト８の中央部分は、省かれ得る。それは、タービンブレード６によって離れて保持される下部フレームサポート１１Ａおよび上部フレームサポート１１Ｂとともに、タービンがフレーム１の間に一緒に保持されることによってである。メインシャフト８は、シャフト８の回りのブレードサポートの回転を可能にするベアリングで、フレーム１に頑強に固定され得る。支柱は、フレームサポートの間に、その外周に向かって配置され、フレームサポートに頑強に固定され、タービンブレード６は、従来型ヒンジによって支柱に取り付けられ得る。上述の実施形態のタービンブレード６は、浅い「Ｃ」字型の外形を有するが、「Ｓ」字型の外形または一方向のみからの風を捕らえるのに適する任意の他の外形も使用され得る。平坦な外形を有するタービンブレード６も、好ましくはブレード６の片側のみに風を導く適切なカウリング（ｃｏｗｌｉｎｇ）とともに、また使用され得る。凹型面のタービンブレード６は、風を捕らえるのに役立つように、粗面化され得るか、あるいは粗い材料でコーティングされ得る。
【００１５】
中心シャフト８がない場合、質量９は、カラーの形状である必要はもはやないが、タービンの中心軸に沿って、質量９の動きをガイドすることが有利であると考えられる。
【００１６】
タービンは、送電のために便利な手段を提供するが、このタービンは、発電以外の使用もある。例えば、直接、機械装置類を駆動するために使用され得る。
【００１７】
一つの実施形態において、タービンは、ブレーキシステム（図示せず）を含み、必要なときに、タービンの回転を減速または停止し得る。これは、メインシャフト８回りに配置される従来型ディスクブレーキの形をとり得る。
【００１８】
使用において、タービンは流体流れの中に置かれ、好ましくは気流または風の中に置かれる。タービンブレード６は、風向きと無関係であるような形状にされることが好ましい。ブレードの凹型表面にインパクトを与える風は、タービンブレード上に力を生成し、風が流れる方向にブレードを押しやる傾向がある。タービンの反対側でタービンブレード６の凹型表面にインパクトを与える風は、同様であるが、より弱い力を生成する。その結果、タービンの回転は、その中心軸回りになる。例えば、図２および図４に示されるタービンは、反時計方向に回転する。明らかに、優勢な（ｐｒｅｖａｉｌｉｎｇ）風向が既知の場合、タービンの凹型表面にインパクトを与える風を増やし、凸型表面にインパクトを与える風を減らすために、適切なカウリング（図示せず）が提供され得る。
【００１９】
タービンが回転すると、タービンブレードは、自身に作用する遠心力の結果として、外向きにスピンする傾向があり、質量９をメインシャフト８の上方に上げる。その構成は、図３および図４に示される。タービンブレード６の動きは、２つの重要な効果を有する。タービンブレード６の質量が外向きに動くにつれ、タービンの回転速度は、エンジンの調速機がその速度を維持するのと同じ方法で、あるいはアイススケート選手が自分の重心を半径方向の外側に向けて移動して減速するのと同じ方法で減速する傾向がある。第二に、ブレードがより円周方向の向きに動くにつれ、ブレードは風を捕らえるのが少なくなり、こうして、風によってブレードに提供された加速力を低下させる。極端には、タービンブレード６が完全に風の外で円周方向の向きに動き、これによって、強風または突風からタービンを保護する。質量９が重ければ重いほど、タービンはより高速でスピンし、タービンブレード６を動かすのに必要な突風が大きければ大きいほど、タービンは風の外にいく。
【００２０】
本発明は、風を動力源とするタービンと関連して記載されたが、本明細書に記載された原理は、他の流体、特に水を動力源とするタービンに関しても使用され得る。
【００２１】
当業者は、上述の発明の多数の代替の実施形態を容易に着想する。本発明は、以下の請求の範囲内に収まる全てのこのような代替の実施形態を含む。
【図面の簡単な説明】
【００２２】
【図１】明瞭にするために、見る人から最も近くのブレードを外したタービンの側面線図である。
【図２】タービンの上面線図である。
【図３】タービンが高速で回転しているときの図１に対応する線図である。
【図４】タービンが高速で回転しているときの図２に対応する線図である。
【図１】
2008520896.tif 000003
【図２】
2008520896.tif 000004
【図３】
2008520896.tif 000005
【図４】
2008520896.tif 000006
【国際調査報告】
2008520896.tif 000007
2008520896.tif 000008
2008520896.tif 000009